(57)【要約】【課題】静止状態でストッパーが遊び角の略中央で待機させることができる回転部材の取り付け構造を提供する。【解決手段】同期モータの回転軸１４に回転部材１０を取り付ける構造において、回転部材１０の中心にあるボス２４と、ストッパー１６と、弾性部材１８と、ブラケット２０を有し、弾性部材１８は、ボス２４の第１溝部３４に挿入される第１挿入部５２と、ブラケット２０の第２溝部４２に挿入される第２挿入部４６と、ストッパー１６を遊び角の略中心で挟み支持する一対の第１支持部４８と第２支持部５０とから構成され、これら支持部４８，５０の間にボス２４から突出した停止突部３８が挿入される。【選択図】      図３
2005256743.tif 000002
【特許請求の範囲】
【請求項１】
モータの回転軸に羽根車、プロペラ、ファン、インペラなどの回転部材を取り付ける構造において、
前記回転部材の中心にある円筒状のボスと、前記ボスの蓋となるブラケットと、前記ボスの内周側に配されるストッパーと、弾性部材とを少なくとも有し、
前記ストッパーは略棒状であって、この棒状のストッパーと直交するように前記回転軸が貫通し、
前記ボスの中心部に前記回転軸の先端部が保持される保持孔が開口し、また、この保持孔の外周側に前記弾性部材が嵌め込まれる第１溝部が刻設され、
前記ブラケットの中心部に前記回転軸が貫通する貫通孔が開口し、また、この貫通孔の外周側に前記弾性部材が嵌め込まれる第２溝部が刻設され、
前記ストッパーの回転を停止させる停止突部が前記ボスの内周部、または、ブラケットから軸方向に突出し、
前記弾性部材は、前記第１溝部に挿入される第１挿入部と、前記第２溝部に挿入される第２挿入部と、前記第１挿入部と前記第２挿入部の間に形成されると共に、前記ストッパーを遊び角の略中心で挟み支持する一対の第１支持部と前記第２支持部から構成され、かつ、前記一対の第１支持部と前記第２支持部との間に前記停止突部が挿入されている
ことを特徴とする回転部材の取り付け構造。
【請求項２】
前記弾性部材の一対の第１支持部と第２支持部の平面形状が、扇形である
ことを特徴とする請求項１記載の回転部材の取り付け構造。
【請求項３】
前記弾性部材の前記第１挿入部、または、前記第２挿入部がリング状である
ことを特徴とする請求項１記載の回転部材の取り付け構造。
【請求項４】
前記モータが、同期モータである
ことを特徴とする請求項１記載の回転部材の取り付け構造。
【請求項５】
前記弾性部材が、ゴム製である
ことを特徴とする請求項１記載の回転部材の取り付け構造。
【請求項６】
前記モータが、洗濯機、食器洗い器用のポンプ、または、ブロワの駆動源である
ことを特徴とする請求項１記載の回転部材の取り付け構造。
【発明の詳細な説明】
【技術分野】
【０００１】
本発明は、同期モータなどのモータの回転軸に羽根車、プロペラ、ファン、インペラなどの回転部材を取り付ける構造に関するものである。
【背景技術】
【０００２】
洗濯機などのポンプにおいては、構造が簡単でそのコストが安い同期モータがよく使用されている。
【０００３】
ところが、この同期モータは、始動トルクが小さいため、その始動時に回転軸における回転角の遊びを設ける必要がある。
【０００４】
そのために、回転方向に遊びを有するカップリング部材がポンプの羽根車に用いられている発明が提案されている（特許文献１）。
【特許文献１】ＥＰ０４８１４１０公報
【発明の開示】
【発明が解決しようとする課題】
【０００５】
上記のようなカップリングに遊び角が設けてある回転部材であっても、ストッパーがどちらか片側へ寄っていてはその遊び角が小さくなり始動しづらくなるという問題点がある。
【０００６】
そこで、本発明は上記問題点に鑑み静止状態ではストッパーが遊び角の略中央で待機させることができる回転部材の取り付け構造を提供する。
【課題を解決するための手段】
【０００７】
請求項１に係る発明は、モータの回転軸に羽根車、プロペラ、ファン、インペラなどの回転部材を取り付ける構造において、前記回転部材の中心にある円筒状のボスと、前記ボスの蓋となるブラケットと、前記ボスの内周側に配されるストッパーと、弾性部材とを少なくとも有し、前記ストッパーは略棒状であって、この棒状のストッパーと直交するように前記回転軸が貫通し、前記ボスの中心部に前記回転軸の先端部が保持される保持孔が開口し、また、この保持孔の外周側に前記弾性部材が嵌め込まれる第１溝部が刻設され、前記ブラケットの中心部に前記回転軸が貫通する貫通孔が開口し、また、この貫通孔の外周側に前記弾性部材が嵌め込まれる第２溝部が刻設され、前記ストッパーの回転を停止させる停止突部が前記ボスの内周部、または、ブラケットから軸方向に突出し、前記弾性部材は、前記第１溝部に挿入される第１挿入部と、前記第２溝部に挿入される第２挿入部と、前記第１挿入部と前記第２挿入部の間に形成されると共に、前記ストッパーを遊び角の略中心で挟み支持する一対の第１支持部と前記第２支持部から構成され、かつ、前記一対の第１支持部と前記第２支持部との間に前記停止突部が挿入されていることを特徴とする回転部材の取り付け構造である。
【０００８】
請求項２に係る発明は、前記弾性部材の一対の第１支持部と第２支持部の平面形状が、扇形であることを特徴とする請求項１記載の回転部材の取り付け構造である。
【０００９】
請求項３に係る発明は、前記弾性部材の前記第１挿入部、または、前記第２挿入部がリング状であることを特徴とする請求項１記載の回転部材の取り付け構造である。
【００１０】
請求項４に係る発明は、前記モータが、同期モータであることを特徴とする請求項１記載の回転部材の取り付け構造である。
【００１１】
請求項５に係る発明は、前記弾性部材が、ゴム製であることを特徴とする請求項１記載の回転部材の取り付け構造である。
【００１２】
請求項６に係る発明は、前記モータが、洗濯機、食器洗い器用のポンプ、または、ブロワの駆動源であることを特徴とする請求項１記載の回転部材の取り付け構造である。
【発明の効果】
【００１３】
本発明に係る回転部材の取り付け構造について説明する。
【００１４】
回転軸が直交して保持されているストッパーは、弾性部材における一対の第１支持部材と第２支持部材との間に遊び角の略中心で挟み支持されている。また、これら第１支持部材と第２支持部材との間にボスの停止突部が挿入されている。そのため、モータの回転軸が回転するとこの遊び角の分だけ、ボスに対し空転する。この場合に、ストッパーは弾性部材を押圧する方向に回転し、その弾性力によって弾性部材は変形するため、遊び角を十分に活用することができる。また、所定角度以上回転すると停止突部によって回転が阻止されるためストッパーは必要以上に回転しない。さらに、回転が停止すると弾性部材の弾性力によって元の位置にストッパーが戻り、遊び角の略中心で停止する。
【００１５】
この回転部材の取り付け構造は、始動トルクが弱い同期モータに好適である。
【発明を実施するための最良の形態】
【００１６】
（第１の実施形態）
以下、本発明の第１の実施形態の回転部材１０の取り付け構造について図１から図４に基づいて説明する。なお、本実施形態は、同期モータの回転軸１４にポンプのインペラ１２を取り付ける構造である。
【００１７】
（１）回転部材１０の構成
回転部材１０の部品としては、回転軸１４、インペラ１２以外に、ストッパー１６、弾性部材１８、ブラケット２０、Ｏリング２２からなる。
【００１８】
インペラ１２は、その中心にある円筒形のボス２４から４枚の羽根２６が突出している。また、ボス２４の内部には、弾性部材１８、ストッパー１６を収納するための収納空間２８が設けられている。
【００１９】
図３に示すように、ボス２４の収納空間２８の上面３０の中心部には、回転軸１４の先端部を保持するための保持孔３２が設けられている。この保持孔３２の外周側には、平面形状が略リング状の第１溝部３４が刻設されている。ボス２４の収納空間２８の内周壁には、軸方向に沿って断面扇形の停止突部３８が突出している。収納空間２８の内周壁の下端の近傍には、ブラケット２０を固定するための固定溝３６が設けられている。また、ボス２４の下端には、回り止め凹部６２が設けられている。
【００２０】
ストッパー１６は、角柱形状であって、この角柱形状のストッパー１６と直交するように貫通孔１７が設けられ、この貫通孔１７に回転軸１４が貫通している。なお、この貫通孔１７の位置は、角柱のストッパー１６の一端部近傍に設けられている。
【００２１】
ブラケット２０は、ボス２４の開口した下面を覆う蓋の役割を果たし、円板型であって、その中心部に回転軸１４が貫通する貫通孔４０が開口している。この貫通孔４０の外周部にはリング状の第２溝部４２が刻設されている。このブラケット２０の外周壁の上端部には突条４４が設けられ、ボス２４の固定溝３６と係合する。また、ブラケット２０の外周壁には、回り止め突部６０が突出し、ボス２４の回り止め凹部６２と係合して、ブラケット２０とボス２４とが互いに回転しない。
【００２２】
弾性部材１８は、ゴム製であって、図４の斜視図に示すように、リング状の第２挿入部４６の相対向する位置から平面形状が扇形の一対の第１支持部４８と第２支持部５０が突出している。この第１支持部４８と第２支持部５０の上端部において、略半円弧状の第１挿入部４８が架設されている。第１支持部４８と第２支持部５０との間隔は図２において、第２挿入部４６が設けられている側がθ１＝９０°であり、設けられていない側がθ２＝１２０°となっている。
【００２３】
（２）回転部材１０の組み立て方法
上記構成の回転部材１０を組み立てる方法について説明する。
【００２４】
第１に、ブラケット２０の貫通孔４０に回転軸１４を挿通し、Ｏリング２２を回転軸１４に嵌め込む。そして、このＯリング２２を貫通孔４０の外周部に配する。
【００２５】
第２に、弾性部材１８の第１支持部４８と第２支持部５０との間にストッパー１６を配し、回転軸１４をリング状の第２挿入部４６から挿通し、次に、ストッパー１６の貫通孔１７を貫通させ、第１挿入部５２を貫通させる（図３の斜視図参照）。
【００２６】
第３に、上記組み立てた部品をボス２４の収納空間２８へ収納し、回転軸１４の先端部を保持孔３２に挿入し、弾性部材１８の第１挿入部５２をボス２４の第１溝部３４に嵌め込むと共に、ボス２４の停止突部３８をストッパー１６の略半円弧状の第１挿入部４８が架設されていない側に嵌め込む。
【００２７】
第４に、ストッパー１６の第２挿入部４６をブラケット２０の第２溝部４２に嵌め込むと共に、ボス２４の固定溝３６とブラケット２０の突条４４を係合させることによって、回転部材１０の組み立てが完成する（図１参照）。
【００２８】
（３）回転部材１０の機能
上記構成の回転部材１０の機能について、図２に基づいて説明する。
【００２９】
同期モータの始動時には始動トルクを低く抑えるために、ストッパー１６をボス２４に対し空転させる必要がある。回転軸１４が静止状態においては、ストッパー１６が、第１支持部４８と第２支持部５０に挟まれて、９０°ある遊び角θ１の略中心で支持されている。この状態で同期モータが始動するとストッパー１６が、図２における時計方向または反時計方向に回転し、弾性部材１８の弾性力に反してθ１／２（例えば、略４５°である）空転することができる。
【００３０】
しかし、回転軸１４がある程度回転すると（例えば、５０°以上）、弾性部材１８の第１支持部４８または第２支持部５０が停止突部３８に当たり回転を阻止され、ストッパー１６と共にボス２４が回転を始める。この場合に、弾性部材１８は停止突部３８が挿入され、かつ、第１挿入部５２と第２挿入部４６が第１溝部３４と第２溝部４２に挿入されているため、弾性部材１８は常にボス２４と共に回転する。
【００３１】
回転軸１４の回転が停止すると、第１支持部４８と第２支持部５０に挟まれたストッパー１６は、その弾性力によって図２に示すように遊び角θ１の中心に再び戻って静止する。そのため、次回に回転を行う場合であっても上記と同様に遊び角の中心から始動を行うことができ、従来のように遊び角の片側から始動を始めることがない。
【００３２】
また、ストッパーが回転する場合に変形量が少ないため、ゴム製の弾性部材が破壊されたりすることがない。
【００３３】
（第２の実施形態）
次に、図５から図７に基づいて第２の実施形態の回転部材１０について説明する。
【００３４】
本実施形態と第１の実施形態の異なる点は、弾性部材１８の形状にある。
【００３５】
図８に示すように、第２の実施形態の弾性部材１８においては、第２挿入部４６がリング状でなく、略半円弧状であって２つの第１支持部４８と第２支持部５０を連結している。また、第１の実施形態とは異なり、第１支持部４８と第２支持部５０を連結する半円弧状の部材がなく、第１支持部４８と第２支持部５０が第１溝部３４に挿入される構造であって、この第１支持部４８と第２支持部５０の上端部が第１挿入部５２の役割を果たしている。
【００３６】
また、弾性部材１８の形状のため、停止突部３８が、ボス２４の上面から下方に突出するのではなく、ブラケット２０の位置から軸方向に突出した形状となっている（図６参照）。
【００３７】
本実施形態の回転部材１０であっても、ストッパー１６が第１支持部４８と第２支持部５０に挟まれているため、遊び角の略中心で静止することができ、始動時においては常に遊び角の中心から始動を行うことができるため、始動トルクを十分にとることができる。
【産業上の利用可能性】
【００３８】
本発明は、例えば、同期モータの回転軸にインペラ、プロペラなどの回転部材を取り付ける構造に好適であり、モータは、洗濯機、食器洗い器用のポンプ、または、ブロワの駆動源として好適である。
【図面の簡単な説明】
【００３９】
【図１】本発明の第１の実施形態を示すストッパーの縦断面図である。
【図２】図１におけるＡ−Ａ線断面図である。
【図３】ストッパーの分解斜視図である。
【図４】弾性部材の斜視図である。
【図５】第２の実施形態のストッパーの縦断面図である。
【図６】回転部材の分解斜視図である。
【図７】弾性部材の斜視図である。
【符号の説明】
【００４０】
１０  回転部材
１２  インペラ
１４  回転軸
１６  ストッパー
１８  弾性部材
２０  ブラケット
２２  Ｏリング
２４  ボス
２６  羽根
２８  収納空間
３２  保持孔
３４  第１溝部
３６  固定溝
３８  停止突部
４０  貫通孔１７
４２  第２溝部
４４  突条
４６  第２挿入部
４８  第１支持部
５０  第２支持部
５２  第１挿入部
【図１】
2005256743.tif 000003
【図２】
2005256743.tif 000004
【図３】
2005256743.tif 000005
【図４】
2005256743.tif 000006
【図５】
2005256743.tif 000007
【図６】
2005256743.tif 000008
【図７】
2005256743.tif 000009